(57)【特許請求の範囲】
【請求項１】
柱の所定部分に、梁を支持するため設けられる仕口体と、
前記仕口体に単純支持されるプレキャストコンクリート製の長期梁と、
前記長期梁に対して幅方向に並列に配置されて、前記仕口体に固定支持されるプレキャストコンクリート製の短期梁とを有する柱梁構造体の柱梁接合構造であって、
前記仕口体が、前記長期梁を支持する第１支持面と、前記短期梁を支持する第２支持面とを含むプレキャストコンクリート製の仕口下部体を有し、前記第１支持面が前記第２支持面よりも高い位置に設けられていることを特徴とする柱梁接合構造。
【請求項２】
前記第１支持面が、前記柱の側面よりも外側に突出していることを特徴とする請求項１に記載の柱梁接合構造。
【請求項３】
前記仕口体が、前記長期梁によって支持される床スラブの少なくとも一部と一体にコンクリートを打設して形成された仕口上部体をさらに有することを特徴とする請求項１または２に記載の柱梁接合構造。
【請求項４】
前記長期梁は、中間部において、仮設時に前記短期梁を支持するべく前記幅方向に突出する突片を備えることを特徴とする請求項１乃至３のいずれかに記載の柱梁接合構造。
【請求項５】
前記短期梁が、前記長期梁の前記幅方向の両側に１対に設けられることを特徴とする請求項１乃至４のいずれかに記載の柱梁接合構造。
【請求項６】
前記短期梁は、床スラブに対して離間するように設けられることを特徴とする請求項１乃至５のいずれかに記載の柱梁接合構造。
【請求項７】
前記短期梁の主筋が、前記仕口体の相反する側にて支持される別の短期梁の主筋に、前記仕口体を跨いで連結されていることを特徴とする請求項１乃至６のいずれかに記載の柱梁接合構造。
【請求項８】
柱部材の頂部に配置された仕口体にプレキャストコンクリート製の長期梁が単純支持され、かつ前記仕口体にプレキャストコンクリート製の短期梁が固定支持されるように、前記柱部材に前記長期梁および前記短期梁を接合する方法であって、
柱梁接合部の直下まで構築された前記柱部材の上に、前記仕口体の一部をなすプレキャストコンクリート製の仕口下部体を設置するステップと、
前記仕口下部体に形成された第１支持面上に前記長期梁の端部を載置するステップと、
前記仕口下部体の前記第１支持面よりも低い位置に形成された第２支持面上に前記短期梁を配置するステップと、
前記長期梁および前記短期梁を前記柱部材に接合させるべく、前記仕口下部体の上にコンクリートを打設して、前記仕口体の一部をなす仕口上部体を構築するステップとを有することを特徴とする方法。
【発明の詳細な説明】
【技術分野】
【０００１】
本発明は、建築物において、並列に配置された梁と柱との接合構造およびその施工方法に関し、特に、少なくとも１つの梁が、他の梁とは異なる接合態様で柱に接合する柱梁接合構造およびその施工方法に関する。
【背景技術】
【０００２】
建築物に作用する荷重は、その荷重が作用する時間に応じて長期荷重と短期荷重とに分類される。長期荷重は、建築物自体の重量からなる固定荷重や、人や家具等の重量からなる積載荷重等を含み、長期間にわたって常時作用する。短期荷重は、地震荷重や風荷重等を含み、作用時間が短い。多くの建築物は、長期荷重に対しては、部材が損傷しないように設計されるが、短期荷重、特に、大規模地震による荷重に対しては、部材の損傷を許容しつつ建築物の倒壊を防ぐように設計される。
【０００３】
鉄筋コンクリート造の建築物では、柱と梁とを剛体接合したラーメン構造が広く採用されている。ラーメン構造の建築物では、柱と剛体接合した梁は、長期荷重および短期荷重の双方を負担する。
【０００４】
これに対して、特許文献１では、長期荷重を負担する長期梁（「長期荷重用梁部材」）と、短期荷重を負担する短期梁（「地震荷重用梁部材」）とに梁を分離する構造が開示されている。長期梁と短期梁とは、互いに並列に配置されているが、柱との接合態様が異なる。長期梁は、柱によって単純支持されるように、すなわち柱とピン接合しているとみなせるように設計および施工される。長期梁は、床スラブ等の荷重を支えるが、柱とピン接合しているため、地震によって柱が振動してもその荷重を受けない。一方、短期梁は、柱によって固定支持されるように、すなわち柱と剛体接合しているとみなせるように設計および施工される。短期梁は、床スラブ等の荷重を負担しないが、地震荷重等を負担する。
【０００５】
ところで、施工期間を短縮するため、鉄筋コンクリート造の柱や梁に、予め工場で製造したコンクリート部材、すなわちプレキャストコンクリート（以下、「ＰＣａ」と記す）部材を用いることがある。例えば、特許文献２には、ＰＣａ柱に、ＰＣａ梁を接合するための、ＰＣａ製の仕口体（「プレキャストコンクリート部材」）が開示されている。この仕口体は、平面視で十字形をなし、ＰＣａ柱の頂部に設置される。十字形の４つの先端はＰＣａ柱の側面よりも外側に延出しており、さらにその先端側のコンクリート面からは梁の主筋となる鉄筋が突出している。この鉄筋がＰＣａ梁の主筋に接続された後、接続部にコンクリートが打設される。
【先行技術文献】
【特許文献】
【０００６】
【特許文献１】特開２０１１−６８５９号公報
【特許文献２】特開昭６２−６０３４号公報
【発明の概要】
【発明が解決しようとする課題】
【０００７】
特許文献１に記載の長期梁と短期梁とを有する建築物であっても、ＰＣａ柱およびＰＣａ梁を用いることによって施工期間を短縮できる。しかしながら、特許文献２に記載の仕口体は、ＰＣａ柱とＰＣａ梁とを、剛体接合するものであり、ピン接合することはできない。仕口体を用いずに施工する場合、ＰＣａ製の長期梁および短期梁の柱梁接合部では、並列に配置された長期梁と短期梁との双方の位置決めが必要であることや、単純支持される長期梁の両端部は、下側部分が切り欠かれた形状とするのが好適であるため、柱梁接合部における長期梁と短期梁とを支持する支持面の高さが異なること等から、建設現場での作業が煩雑であった。
【０００８】
本発明は、このような背景に鑑みてなされたもので、長期梁と短期梁とが並列に配置された柱梁構造において、効率的に施工可能な柱梁接合構造およびその施工方法を提供することを目的とする。
【課題を解決するための手段】
【０００９】
本発明のある側面は、柱（４）の所定部分に、梁を支持するため設けられる仕口体（１０）と、前記仕口体に単純支持されるプレキャストコンクリート製の長期梁（６）と、前記長期梁に対して幅方向に並列に配置されて、前記仕口体に固定支持されるプレキャストコンクリート製の短期梁（８）とを有する柱梁構造体の柱梁接合構造（２）であって、前記仕口体が、前記長期梁を支持する第１支持面（３６）と、前記短期梁を支持する第２支持面（３８）とを含むプレキャストコンクリート製の仕口下部体（１２）を有し、前記第１支持面が前記第２支持面よりも高い位置に設けられていることを特徴とする。プレキャストコンクリート（ＰＣａ）という用語は、特に説明しない限り、フルプレキャストコンクリートおよびハーフプレキャストコンクリートを含む。単純支持および固定支持という用語は、理論上または理想上の単純支持および固定支持ではなく、実質的な単純支持および固定支持、すなわち設計計算において単純支持または固定支持とみなせる支持状態を表す。
【００１０】
この構成によれば、並列に配置されるが、支持態様すなわち接続部の形状が互いに異なる長期梁と短期梁とを仕口下部体に置くだけで、高さ方向の位置調整ができる。また、第１支持面と第２支持面との高さの違いによって生じる凸部（３２）が、長期梁および短期梁の幅方向の位置の目安を示すため、幅方向の位置調整が容易となる。このように、長期梁および短期梁の位置調整が容易であるため、効率的な施工が可能となる。
【００１１】
本発明の他の側面は、上記構成において、前記第１支持面が、前記柱の側面よりも外側に突出していることを特徴とする。
【００１２】
この構成によれば、長期梁を、柱の主筋に干渉しないように仕口下部体に載置できる。
【００１３】
本発明の他の側面は、上記構成において、前記仕口体が、前記長期梁によって支持される床スラブ（１６）の少なくとも一部と一体にコンクリートを打設して形成された仕口上部体（１４）をさらに有することを特徴とする。
【００１４】
この構成によれば、長期梁の端部が、仕口上部体によって確実に押さえつけられるため、長期梁が、地震時の上下動によって浮き上がることを防止できる。また、仕口上部体および床スラブに対する現場打ちのコンクリートの施工が一体に行われるため、仕口上部体を構築するための施工時間の増加を抑制できる。
【００１５】
本発明の他の側面は、上記構成において、前記長期梁は、中間部において、仮設時に前記短期梁を支持するべく前記幅方向に突出する突片（２４）を備えることを特徴とする。
【００１６】
この構成によれば、仮設状態において短期梁が安定し、短期梁の主筋の接合時や仕口上部体の施工時に、短期梁が落下するおそれを軽減することができる。
【００１７】
本発明の他の側面は、上記構成において、前記短期梁が、前記長期梁の前記幅方向の両側に１対に設けられることを特徴とする。
【００１８】
この構成によれば、地震時の力が、柱と短期梁との間で偏らずに伝達され、柱に不要なねじれが加わることを防止できる。
【００１９】
本発明の他の側面は、上記構成において、前記短期梁は、床スラブに対して離間するように設けられることを特徴とする。
【００２０】
この構成によれば、より確実に、短期梁に、床スラブの自重等の長期荷重が加わることを防止できる。
【００２１】
発明の他の側面は、上記構成において、前記短期梁の主筋（２６）が、前記仕口体の相反する側にて支持される別の短期梁の主筋に、前記仕口体を跨いで連結されていることを特徴とする。
【００２２】
この構成によれば、長手方向に隣接する短期梁同士の接合部のコンクリート打設を、仕口上部体と一体に行えるため、施工効率を上げることができる。
【００２３】
また、本発明のある側面は、柱部材（４）の頂部に配置された仕口体（１０）にプレキャストコンクリート製の長期梁（６）が単純支持され、かつ前記仕口体にプレキャストコンクリート製の短期梁（８）が固定支持されるように、前記柱部材に前記長期梁および前記短期梁を接合する方法であって、柱梁接合部の直下まで構築された前記柱部材の上に、前記仕口体の一部をなすプレキャストコンクリート製の仕口下部体（１２）を設置するステップと、前記仕口下部体に形成された第１支持面（３６）上に前記長期梁の端部を載置するステップと、前記仕口下部体の前記第１支持面よりも低い位置に形成された第２支持面（３８）上に前記短期梁を配置するステップと、前記長期梁および前記短期梁を前記柱部材に接合させるべく、前記仕口下部体の上にコンクリートを打設して前記仕口体の一部をなす仕口上部体（１４）を構築するステップとを有することを特徴とする。
【００２４】
この構成によれば、並列に配置されるが、支持態様および端部の形状が互いに異なる長期梁と短期梁とを仕口下部体に置くだけで、高さ方向の位置調整ができる。また、第１支持面と第２支持面との高さの違いによって生じる凸部（３２）が、長期梁および短期梁の幅方向の位置の目安を示すため、幅方向の位置調整が容易となる。このように、長期梁および短期梁の位置調整が容易であるため、効率的な施工が可能となる。
【発明の効果】
【００２５】
本発明によれば、長期梁と短期梁とが並列に配置された柱梁構造において、効率的に施工可能な柱梁接合構造およびその施工方法を提供することができる。
【図面の簡単な説明】
【００２６】
【図１】実施形態に係る柱梁接合構造の模式的平面図
【図２】実施形態に係る仕口下部体の斜視図
【図３】図１におけるＩＩＩ−ＩＩＩ線に沿った断面図
【図４】図１におけるＩＶ−ＩＶ線に沿った断面図
【図５】実施形態に係る柱梁構造の施工手順を示す模式的正面図
【発明を実施するための形態】
【００２７】
以下、図面を参照しながら、本発明の実施形態を説明する。まず、図１〜４を参照して本発明の実施形態に係る柱梁接合構造２を説明する。図１は、ＰＣａ製の柱部材４と、ＰＣａ製の長期梁６と、ＰＣａ製の短期梁８と、長期梁６および短期梁８を柱部材４に接合する仕口体１０とを有する柱梁接合構造２の模式的平面図である。仕口体１０は、仕口下部体１２および仕口上部体１４を含むが、図の右方の柱部材４と長期梁６および短期梁８との接合箇所は、仕口上部体１４がまだ施工されていない状態を示し、左方の箇所は、仕口上部体１４が施工された後の状態を示す。なお、床スラブ１６（図５参照）は図示を省略している。図２は、仕口下部体１２の斜視図であり、図３および図４は、それぞれ、図１におけるＩＩＩ−ＩＩＩ線およびＩＶ−ＩＶ線に沿った断面図である。なお、断面において、特に明細書で言及していない公知の形態の鉄筋およびＰＣ緊張材については図示を省略している。
【００２８】
柱部材４は、ＰＣａ製の鉄筋コンクリートであって、頂部のコンクリート面の上端から主筋１８（図５参照）が突出している。突出した主筋１８は、仕口体１０を貫通し、上層に設置される柱部材４（図示せず）に連結される。柱部材４は、平面視で矩形を呈し、柱幅および柱せいが略一定である。なお、柱部材４は、ＰＣａに代えて、現場打ちの鉄筋コンクリートとすることもできる。
【００２９】
長期梁６は、互いに隣接する１対の柱部材４間に架け渡される。長期梁６は、ＰＣａ製のプレテンション式のプレストレストコンクリートであって、長手方向に直交する断面では矩形を呈する。長期梁６の両端部は、下側が切り欠かれた形状となっており、長手方向の端面に向かうに従って上方へ向かうテーパー面２０と、テーパー面２０よりも端面側に位置する水平な載置面２２とが形成されている。長期梁６の主筋（図示せず）は、長手方向のコンクリートの端面からは突出していない。長期梁６の長手方向の中間部には、幅方向の両側に突出する突片２４が形成されている。突片２４は、長期梁６の本体と一体に成形された鉄筋コンクリートからなり、仮設時に短期梁８を支持する。
【００３０】
短期梁８は、対をなすように１つの長期梁６に対してその幅方向の両側に並列に配置され、柱部材４間に架け渡される。１対の短期梁８の各々は、互いに同一のものである。短期梁８は、ＰＣａ製の鉄筋コンクリートであって、長手方向に直交する断面では矩形を呈し、その幅および高さは略一定である。短期梁８の上面は、長期梁６の上面よりも低い位置にあり、短期梁８は、床スラブ１６（図５参照）と離間している。短期梁８の下面は、長期梁６の下面と同じか高い位置にあることが好ましい。短期梁８の長手方向の両端面からは、主筋２６が突出しており、主筋２６は、機械式継ぎ手２８によって、柱部材４に対して反対側に延出する他の短期梁８の主筋２６に接合されている。なお、機械式継ぎ手２８に代えて、他の公知の継ぎ手手段を用いてもよい。
【００３１】
仕口体１０は、ハーフプレキャスト工法によって形成される部材であって、有筋のＰＣａ製の仕口下部体１２と、現場打ちのコンクリートによって形成される仕口上部体１４とを有する。柱部材４は、仕口体１０を介して、長期梁６および短期梁８を支持する。
【００３２】
図２に示すように、仕口下部体１２は、矩形の平板状の本体３０と、本体３０の上面の４つの辺の中央からそれぞれ直方体形状に上方に膨出した凸部３２とを有する。本体３０の矩形の大きさは柱部材４の矩形よりも一回り大きく、仕口下部体１２を柱部材４の頭部に設置した状態では、本体３０の４つの辺は、対応する柱部材４の側面に平行に、かつその側面よりも外側に延出するように配置される。また、本体３０には、柱部材４の主筋１８（図５参照）を挿入するための、上下方向に貫通する孔３４が設けられている。凸部３２の各々は、互いに同一形状であって、本体３０の反対側の辺に設けられた凸部３２に対向している。また、凸部３２において外側を向いた側面は、本体３０の側面と連続する平面を構成する。凸部３２の上面は、長期梁６を支持する第１支持面３６を構成し、本体３０の上面の辺の近傍の凸部３２を挟む部分は、短期梁８を支持する第２支持面３８を構成する。図３に示すように、第１支持面３６は、長期梁６の載置面２２を支持している。図４に示すように、第２支持面３８は、短期梁８の端部の下面を支持している。第１支持面３６および第２支持面３８は、それぞれ、長期梁６の載置面２２および短期梁８の端部の下面に当接して直接支持してもよく、両者の間に回りこんだコンクリートを介して支持してもよい。なお、図２に想像線で示すように、仕口下部体１２は、本体３０の上面の４つの隅部から直方体形状に上方に膨出した隅凸部４０をさらに有してもよい。隅凸部４０が、凸部３２と協働して短期梁８を挟む位置に設けられるため、短期梁８の位置決めが容易となる。
【００３３】
図１、図３および図４に示すように、仕口上部体１４は、仕口下部体１２、並びに仕口下部体１２上に載置された長期梁６および短期梁８の端部を覆うように、コンクリートを打設することによって形成される。後述するように、仕口上部体１４は、床スラブ１６（図５（ｅ）参照）と一体にコンクリートを打設して形成されるが、図１、図３および図４では、床スラブ１６の図示を省略している。
【００３４】
床スラブ１６（図５（ｅ）参照）は、長期梁６と一体化するようにコンクリートを打設して形成される。また、床スラブ１６の下面は、短期梁８の上面から離間している。そのため、床スラブ１６は、長期梁６によって支持されるが、短期梁８によっては支持されない。なお、床スラブ１６と長期梁６のＰＣａ部分との位置関係は、床スラブ１６の下面と長期梁６のＰＣａ部分の上面が一致するようにしてもよく、また、床スラブ１６に長期梁６のＰＣａ部分が突入していてもよい。また、ハーフプレキャスト工法によって長期梁６が完成するように、床スラブ１６の下面に対して長期梁６のＰＣａ部分が離間しており、仕口上部体１４および床スラブ１６と一体に打設されるコンクリートにより長期梁６の上部が形成されてもよい。
【００３５】
長期梁６の長手方向の端部は、仕口体１０に対して柱部材４の中心軸方向に向かって大きくは突入しておらず、少なくとも、柱部材４の主筋１８（図５参照）よりも外側に配置されることが好ましい。本実施形態では、長期梁６の長手方向の端部は、柱部材４の側面よりも外側において仕口体１０に接合している。このように、長期梁６は、その端部の仕口体１０への突入長さが短いため、さらに、端部の下側が切り欠かれた形状であって上下寸法が小さいため、長期梁６と仕口体１０との接合は、実質的にピン接合とみなせる。換言すると、長期梁６は、仕口体１０に単純支持される。地震等によって柱部材４が振動しても、ピン接合部が回転することにより、柱部材４からの水平方向への力は、長期梁６に伝達されない。よって、長期梁６は、地震等によって損傷を受けるリスクが極めて小さい。また、長期梁６の端部が、仕口上部体１４によって覆われているため、長期梁６は、地震時に上下動しても、浮き上がりが防止される。また、長期梁６は、床スラブ１６を支持し、その荷重を柱部材４に伝える。
【００３６】
一方、短期梁８では、その主筋２６が、仕口体１０の相反する側にて支持される別の短期梁８の主筋２６に、仕口体１０を跨いで連結されている。そのため、短期梁８と仕口体１０との接合は、実質的に剛体接合とみなせる。換言すると、短期梁８は、仕口体１０に固定支持される。そのため、短期梁８は、柱部材４と一体化し、地震等によって生じる柱部材４からの水平荷重が伝達され、その水平力に抵抗するように機能する。その一方で、短期梁８は、床スラブ１６から離間しているため、長期荷重を負担しない。大規模な地震が発生した場合に、短期梁８は損傷しても、建築物の倒壊は防げるように、建築物は設計および施工がなされる。
【００３７】
地震により短期梁８が損傷したとしても、長期梁６は損傷しない。そのため、短期梁８のみを補修すればよい。その際、長期梁６によって長期荷重が支持されているため、建築物の使用を続けながら、短期梁８の補修工事を行える。また、短期梁８において、コンクリートにひびが入り、主筋２６にひずみが残ったとしても、同規模の地震の耐えるだけの耐力は残っているため、損傷後すぐに、短期梁８の補修をする必要はない。集合住宅のように、その建築物の区分所有者等、その建築物に関する権利者が多い場合であって、権利者の合意を得るのに時間がかかる場合であっても、その間の建築物の継続使用の危険性を低く抑えることができる。
【００３８】
また、長期梁６と短期梁８とは、長手方向に直交する水平方向に略重なるように並列に配置されるため、建築物の内部空間を狭めることが抑制されている。
【００３９】
長期梁６と短期梁８とは、並列に配置されるものの、その端部の形状が異なるため、仕口体１０への接合位置の高さが異なる。仕口下部体１２は、その接合位置の高さの相違に対応するように凸部３２を有することによって、長期梁６を支持するための第１支持面３６と短期梁８を支持するための第２支持面３８との間に段差を形成している。よって、長期梁６および短期梁８を仕口下部体１２に設置するときに、高さ調整をする必要がなく、施工の効率が上がる。
【００４０】
次に、図５を参照して、実施形態に係る柱梁接合構造２の施工方法を説明する。図５は、建築物の外周における柱梁構造の施工状況を示したものであり、紙面に直交する方向の手前側には長期梁６および短期梁８は設置されない。なお、図示および説明の都合上、各部材間の相対的寸法や、仕口下部体１２の幅方向の突出量等は、実際のものと異なる。
【００４１】
図５（ａ）に示すように、柱部材４を立設した後、作業員は、柱部材４の主筋１８が仕口下部体１２の孔３４に挿通されるように柱部材４の頂部に仕口下部体１２を設置する。主筋１８と孔３４との隙間にグラウトを注入し、仕口下部体１２を柱部材４に固定する。
【００４２】
次に、図５（ｂ）に示すように、長期梁６の両端部の載置面２２（図３参照）が仕口下部体１２の第１支持面３６（図３参照）に当接するように、長期梁６を隣接する１対の柱部材４間に架け渡す。なお、第１支持面３６と載置面２２との間にスペーサーを設置して、両者の間に現場打ちのコンクリートが回りこむようにしてもよい。
【００４３】
次に、図５（ｃ）に示すように、短期梁８の両端部の下面が、仕口下部体１２の第２支持面３８（図４参照）上に配置されるように、短期梁８を隣接する１対の柱部材４間に架け渡す。短期梁８の両端部の下面と第２支持面３８との間にはスペーサー（図示せず）が設置される。なお、スペーサーを設けずに、両者を当接させてもよい。短期梁８の両端部の長期梁６側を向いた側面と仕口下部体１２の凸部３２の側面とは、所定の距離をもって離間している。なお、あらかじめ、仕口下部体１２の凸部３２の幅および位置を短期梁８の位置に対応するように設けておき、短期梁８の両端部の長期梁６側を向いた側面と仕口下部体１２の凸部３２の側面と当接させることによって、短期梁８の幅方向の位置を決定させてもよい。また、短期梁８は、長期梁６の突片２４によって中間部が支持されるので、安定した仮設状態を維持できる。また、長期荷重および短期荷重の両方を支持する従来の１本の梁に比べて、機能が分離された１本の長期梁６および２本の短期梁８は軽いため、架設の際に大型の揚重設備を用いる必要がなくなる。
【００４４】
次に、図５（ｄ）に示すように、短期梁８の端部から露出している主筋２６を、仕口下部体１２の相反する側に配置された別の短期梁８の端部から露出している主筋２６に、機械式継ぎ手２８によって接合する。機械式継ぎ手２８と主筋２６との隙間には、グラウトが注入される。相反する側に別の短期梁８が設置されていない短期梁８においては、その露出している主筋２６は、短期梁８が仕口体１０に剛体接合されるように、公知の方法によって処理される。
【００４５】
次に、型枠（図示せず）を設置した後、図５（ｅ）に示すように、長期梁６の端部と、接合された主筋２６を含む短期梁８の端部とを埋め込むように、コンクリートを打設して、仕口上部体１４および床スラブ１６を一体に形成する。床スラブ１６は、型枠に代えてＰＣａ板を設置し、その上にコンクリートを打設して形成してもよい。
【００４６】
以上で具体的実施形態の説明を終えるが、本発明は上記実施形態に限定されることなく幅広く変形実施することができる。隣接する１対の柱間に架け渡される長期梁および短期梁の数は、変更してもよく、その場合、仕口下部体の凸部の配置も適宜変更される。例えば、短期梁を１本にしてもよい。本発明に係る柱梁接合構造は、建築物の中柱や外周柱だけでなく、隅柱にも適用できる。短期梁において、長手方向に隣接する別の短期梁との接合は、１対の柱部材間で行い、柱部材上部では通し配筋としてもよい。
【符号の説明】
【００４７】
２...柱梁接合構造、４...柱部材、６...長期梁６...短期梁、１０...仕口体、１２...仕口下部体、１４...仕口上部体、１６...床スラブ、２４...突片、２６...短期梁の主筋、３２...凸部、３６...第１支持面、３８...第２支持面
【図１】
0006388840.tif 000002
【図２】
0006388840.tif 000003
【図３】
0006388840.tif 000004
【図４】
0006388840.tif 000005
【図５】
0006388840.tif 000006